(57)【要約】【課題】枕として使用した際に、テレビやラジオ等のオーディオやＰＣ等から出力される音声等が聞き取り易くなるクッションを提供する。【解決手段】クッション１は、弾性を有する略正六面体形状の本体部１０と、該本体部１０を覆う布状のカバー部材２０から構成されている。本体部１０の各外側面１２の中央には、対面する外側面１２に向かって本体部１０を貫通する直角柱状の貫通孔部１１が形成されている。また、カバー部材２０には、本体部１０に取り付けた際に、隣接する外側面１２により形成される稜部、及び、外側面１２と貫通孔部１１の壁面により形成される稜部に沿って配される位置に、縫い目２１が形成されている。【選択図】図１
0003188449.tif 000002
【実用新案登録請求の範囲】
【請求項１】
６つの矩形の外側面により形成される六面体形状の弾性部材であって、それぞれの前記外側面には、該外側面の中央から対面する前記外側面の中央に向けて貫通する貫通孔部が形成されていると共に、それぞれの前記貫通孔部が内部で連結されている本体部と、
前記本体部の前記外側面及び前記貫通孔部の壁面を全て覆い、隣接する前記外側面により形成される稜部、及び、前記外側面と前記壁面とにより形成される稜部に沿って縫い目が形成されている布状のカバー部材と、
を備えることを特徴とするクッション。
【請求項２】
請求項１に記載のクッションにおいて、
前記本体部は、正六面体形状の弾性部材として構成されており、
前記貫通孔部は、底面が正方形である直角柱状に形成されており、それぞれの前記貫通孔部は、同一の形状を有していること、
を特徴とするクッション。
【考案の詳細な説明】
【技術分野】
【０００１】
本考案は、クッションに関する。
【背景技術】
【０００２】
従来、クッションを枕として使用し、横になった状態でテレビを視聴すること等が行われている（例えば、特許文献１）。なお、本出願においてクッションとは、周知のクッションの他、枕を含むものとする。
【先行技術文献】
【特許文献】
【０００３】
【特許文献１】実用新案登録第３０８２０１６号公報
【考案の概要】
【考案が解決しようとする課題】
【０００４】
しかしながら、クッションを枕として使用する際、頭部が横を向いた状態になると、下側に位置する耳がクッションにより塞がれた状態となってしまうため、テレビやラジオ等のオーディオやＰＣ等から出力される音声等が聞き取りにくくなってしまうという問題があった。
【０００５】
本願考案は上記課題に鑑みてなされたものであり、枕として使用した際に、テレビ等から出力される音声等が聞き取り易くなるクッションを提供することを目的とする。
【課題を解決するための手段】
【０００６】
上記課題に鑑みてなされた請求項１に係るクッションは、６つの矩形の外側面により形成される六面体形状の弾性部材であって、それぞれの外側面には、該外側面の中央から対面する外側面の中央に向けて貫通する貫通孔部が形成されていると共に、それぞれの貫通孔部が内部で連結されている本体部と、本体部の外側面及び貫通孔部の壁面を全て覆い、隣接する外側面により形成される稜部、及び、外側面と壁面とにより形成される稜部に沿って縫い目が形成されている布状のカバー部材と、を備える。
【０００７】
このような構成によれば、顔を横に向けた状態でクッションを枕として使用する際に、貫通孔部により形成されるクッションの開口部に耳が位置するよう頭部の位置を調整すれば、ユーザの耳には、クッション内部に形成された貫通孔部を介して外部から音声が伝わる。
【０００８】
このため、顔を横に向けた状態であるにも関らず、下側の耳が塞がれた状態とならず、テレビ等から出力される音声等を聞き取り易くなる。
また、クッションを枕として使用する際に、音声を聞くために無理な姿勢を取る必要が無く、ユーザの体に負担がかからないようにすることができる。
【０００９】
また、クッションの本体部を覆うカバー部材は、本体部の外側面における稜部に沿った位置に縫い目が配されるよう構成されており、本体部の各外側面は、凹凸の無い一枚の布状部材に覆われた状態となっている。
【００１０】
このため、クッションを使用するユーザの体に当接する部分を滑らかな状態にすることができ、クッションの快適性を向上させることができる。
特に、クッションを枕として使用する場合には、クッションの外周面にユーザの顔や首
が直接当接した状態となるが、外周面の稜部にカバー部材の縫い目が配されるため、極力、顔等に縫い目が当接しないようにすることができ、快適性を向上させることができると共に、顔等に縫い目の跡がついてしまうことを防ぐことができる。
【００１１】
また、例えば、カバー部材における本体部の各外側面を覆う部分を、複数の布片のパッチワークにより構成する場合に比べ、カバー部材を構成する部品数が少なくなり、製造コストを低減させることができると共に、カバー部材の強度を向上させることができる。
【００１２】
なお、請求項２に記載されているように、本体部は、正六面体形状の弾性部材として構成されており、貫通孔部は、底面が正方形である直角柱状に形成されており、それぞれの貫通孔部は、同一の形状を有していても良い。
【００１３】
このような構成によれば、例えばクッションを枕として使用する場合には、いずれの面を上にした状態で使用しても同程度の弾力性を得ることができる。また、いずれの面の開口部に耳をあてた状態で枕として使用しても、ユーザの耳の位置と、クッション内部に形成された貫通孔部との位置関係が大きく変わることが無く、音声が聞き取りにくくなることは無い。したがって、クッションの使い勝手を向上させることができる。
【図面の簡単な説明】
【００１４】
【図１】本実施形態のクッション、及び、クッションの本体部の斜視図である。
【図２】本実施形態のクッションの断面図、及び、使用態様を示す説明図である。
【考案を実施するための形態】
【００１５】
以下、本考案の実施形態について図面を用いて説明する。なお、本考案の実施の形態は、下記の実施形態に何ら限定されることはなく、本考案の技術的範囲に属する限り種々の形態を採りうる。
【００１６】
図１（ａ）に記載されているように、本実施形態のクッション１は、略正六面体形状に形成されており、クッション１の各面の中央には、対面する面の中央に向かって当該クッション１を貫通する貫通孔部１１が形成されている。
【００１７】
クッション１は、弾性部材として構成された本体部１０と、該本体部１０を覆う布状のカバー部材２０から構成されている。
本体部１０は、袋状の部材に充填部材（例えば、発泡ビーズ，樹脂材料のチップ，綿などの繊維材料，そばがらなど）を詰め込むことで略正六面体形状に構成されており、それぞれの頂角部分は、丸みを帯びた形状となっている（図１（ｂ）参照）。
【００１８】
また、本体部１０の外側に位置する略正方形の面（外側面１２）の中央には、それぞれ、対面する外側面１２に向かって本体部１０を貫通する貫通孔部１１が形成されている。各貫通孔部１１は、底面が正方形である直角柱状に形成されていると共に、同一の形状を有しており、本体部１０の中央で連結されている（図２（ａ）参照）。
【００１９】
また、本体部１０を覆うカバー部材２０は、天然素材或いは化学繊維からなる布状部材として構成されており、本体部１０の外側面１２及び貫通孔部１１の壁面を全て覆った状態で本体部１０に取り付けられる。なお、カバー部材２０は、例えば、樹脂等により構成された薄い布状の部材として構成されていても良い。
【００２０】
そして、カバー部材２０は、本体部１０に取り付けた際に、隣接する各外側面１２により形成される稜部、及び、外側面１２と貫通孔部１１の壁面により形成される稜部に沿って配される位置に、縫い目２１が形成されている。
【００２１】
また、カバー部材２０は、本体部１０に取り付けた際に、直角柱状に形成された貫通孔部１１の壁面の稜部に沿って配される位置にも、縫い目２１が形成されている。
［効果］
本実施形態によれば、顔を横に向けた状態でクッション１を枕として使用する際に、貫通孔部１１により形成されるクッション１の開口部に耳が位置するよう頭部の位置を調整すれば、ユーザの耳には、クッション内部に形成された貫通孔部１１を介して外部から音声が伝わる（図２参照）。
【００２２】
このため、顔を横に向けた状態でクッション１を枕として使用しているにも関らず、下側の耳が塞がれた状態とならず、テレビ等の音声等を聞き取り易くなる。また、音声を聞くために無理な姿勢を取る必要が無く、ユーザの体に負担がかからないようにすることができる。
【００２３】
また、カバー部材２０は、本体部１０の外側面１２における稜部に沿った位置に縫い目２１が配されるよう構成されており、本体部１０の各外側面１２は、凹凸の無い一枚の布状部材に覆われた状態となっている。
【００２４】
このため、クッション１を枕として使用する場合、クッション１の外周面にユーザの顔や首が直接当接した状態となるが、外周面の稜部にカバー部材２０の縫い目２１が配されるため、極力、顔等に縫い目が当接しないようにすることができ、快適性を向上させることができると共に、顔等に縫い目の跡がついてしまうことを防ぐことができる。
【００２５】
また、カバー部材２０を構成する部品数が少なくなり、製造コストを低減させることができると共に、カバー部材２０の強度を向上させることができる。
［他の実施形態］
（１）本実施形態のクッション１は、略正六面体形状に形成されているが、略六面体形状に形成されていても良いし、略六面体以外の多面体形状に形成されていても良い。このような場合であっても、同様の効果を得ることができる。
【００２６】
（２）また、本実施形態のクッション１は、各貫通孔部１１は同一形状となっているが、これに限らず、各貫通孔部１１は異なる形状を有していても良い。
また、各貫通孔部１１は、底面が正方形である直角柱状に形成されているが、これに限らず、各貫通孔部１１は、例えば、底面が長方形である直角柱状に形成されていても良いし、円柱状に形成されていても良い。
【００２７】
このような場合であっても、同様の効果を得ることができる。
【符号の説明】
【００２８】
１…クッション、１０…本体部、１１…貫通孔部、１２…外側面、２０…カバー部材、２１…縫い目。
【図１】
0003188449.tif 000003
【図２】
0003188449.tif 000004